(57)【特許請求の範囲】
【請求項１】
平行な２軸間に懸架されて周回転する転写用ブランケットと、
この転写用ブランケットとは別個に、前記転写用ブランケットの平面部へ接触又は離反するグラビア版胴とこのグラビア版胴に接触するスクレーパーとインク供給部とを備えたスライド台とを設け、
印刷・塗装対象である直管又はテーパー管等は、前記転写用ブランケットが折返す稜線部に沿って回転可能に別途支持され、
直管又は棒の場合、断面を直管状の転写用ブランケットを用い、
テーパー管又は棒の場合、断面をテーパー状の転写用ブランケットに替えて用いることを特徴とする直管又はテーパー管その他棒状体の印刷・塗装方法。
【請求項２】
ヘッド上で軸支された平行な２軸間に懸架されて周回転すると共に着脱自在である転写用ブランケットと、
前記転写用ブランケットとは別個にヘッド上に設置され、前記転写用ブランケットの平面部に接触して文字、図形、パターンその他のイメージを転移させるグラビア版胴とこのグラビア版胴と接触して余分なインクを掻き取るスクレーパーとインク供給部とを備えたスライド台と、
前記転写用ブランケットの折返し稜線部に沿って直管又はテーパー管その他の棒状体を回転可能に軸支するワーク取付部と、
前記転写用ブランケット、グラビア版胴、スクレーパー等に連結された回転機構及び伝達機構と、
前記スライド台を回転可能に軸支した軸部と、このスライド台を前記ヘッド上で摺動させて位置調整するスライド機構とから成り、
印刷・塗装対象であるワークが直管の場合、断面を直管状の厚みのある柔軟性と弾力性に富むブランケットを用い、ワークがテーバー管の場合、断面をテーパー状としたブランケットを用いるようにしたことを特徴とする直管又はテーパー管その他棒状体の印刷・塗装装置。
【請求項３】
グラビア版胴及びこのグラビア版胴と接触して余分なインクを掻き取るスクレーパーとインク供給部とを備えたスライド台を回転可能に軸支した軸部と、スライド上のグラビア版胴が転写用ブランケットの平面部と接触又は離反できるようヘッド上で位置調節するスライド機構とを有することを特徴とする請求項２記載の直管又はテーパー管その他棒状体の印刷・塗装装置。
【請求項４】
ヘッド上に設置され、平行な２軸間に懸架され周回転すると共に着脱自在とした転写用ブランケットと、この転写用ブランケットとは別個にヘッド上に設置され、グラビア版胴とスクレーパーとインク供給部とを備え、回転及び摺動可能としたスライド台とを設け、
前記ヘッドを上下動し、前記転写用ブランケットの稜線部と印刷・塗装対象であるワークとが接触又は離反するよう位置調整するリフト機構を設けた請求項２又は請求項３記載の直管又はテーパー管その他棒状体の印刷・塗装装置。
【発明の詳細な説明】
【０００１】
【発明の属する技術分野】
本発明は直管又はテーパー管その他棒状体の何れに対してもそれぞれ専用の装置を必要とせず、ブランケットだけを替えることにより、グラビア版胴を取りかえることなくその他の構成も共用できるようにして直管又はテーパー管その他棒状体に兼用の印刷・塗装方法並びにその装置に関する。
【０００２】
【従来の技術】
従来、直管又はテーパー管の表面に塗装をする場合には、それぞれ直管専用の装置、テーパー管専用の装置を製作し備える必要があった。
【０００３】
【発明が解決しようとする課題】
上記のように直管又はテーパー管専用に製作された装置を複数台備えると設置のためのスペースを必要し、コスト高となる難点があった。
【０００４】
本発明の目的は、１台の装置により、直管又はテーパー管又は棒状体のいずれにも適用して印刷又は塗装できるようにし、グラビア版胴、回転機構や伝達機構及びスライド機構等を共用できる装置を提供しようとするものである。
【０００５】
【課題を解決するための手段】
上記目的を達成するため、第１発明では、平行な２軸間に懸架されて周回転する転写用ブランケットと、この転写用ブランケットとは別個に、前記転写用ブランケットの平面部へ接触又は離反するグラビア版胴とこのグラビア版胴に接触するスクレーパーとインク供給部とを備えたスライド台とを設け、印刷・塗装対象である直管又はテーパー管等は、前記転写用ブランケットが折返す稜線部に沿って回転可能に別途支持され、直管又は棒の場合、断面を直管状の転写用ブランケットを用い、テーパー管又は棒の場合、断面をテーパー状の転写用ブランケットに替えて用いる直管又はテーパー管その他棒状体の印刷・塗装方法とした。
【０００６】
第２発明では、ヘッド上で軸支された平行な２軸間に懸架されて周回転すると共に着脱自在である転写用ブランケットと、前記転写用ブランケットとは別個にヘッド上に設置され、前記転写用ブランケットの平面部に接触して文字、図形、パターンその他のイメージを転移させるグラビア版胴とこのグラビア版胴と接触して余分なインクを掻き取るスクレーパーとインク供給部とを備えたスライド台と、前記転写用ブランケットの折返し稜線部に沿って直管又はテーパー管その他の棒状体を回転可能に軸支するワーク取付部と、前記転写用ブランケット、グラビア版胴、スクレーパー等に連結された回転機構及び伝達機構と、前記スライド台を回転可能に軸支した軸部とこのスライド台をヘッド上で摺動させ位置調整するスライド機構とから成り、印刷・塗装対象であるワークが直管の場合、断面を直管状の厚みのある柔軟性と弾力性に富むブランケットを用い、ワークがテーバー管の場合、断面をテーパー状としたブランケットを用いるようにした直管又はテーパー管その他棒状体の印刷・塗装装置とした。
【０００７】
第３発明では、グラビア版胴及びこのグラビア版胴と接触して余分なインクを掻き取るスクレーパーとインク供給部とを備えたスライド台を回転可能に軸支した軸部と、スライド上のグラビア版胴が転写用ブランケットの平面部と接触又は離反できるようヘッド上で位置調節するスライド機構とを有する直管又はテーパー管その他棒状体の印刷・塗装装置とした。
【０００８】
第４発明では、ヘッド上に設置され、平行な２軸間に懸架され周回転すると共に着脱自在とした転写用ブランケットと、この転写用ブランケットとは別個にヘッド上に設置され、グラビア版胴とスクレーパーとインク供給部とを備え、回転及び摺動可能としたスライド台とを設け、前記ヘッドを上下動し、前記転写用ブランケットの稜線部と印刷・塗装対象であるワークとが接触又は離反するよう位置調整するリフト機構を設けた直管又はテーパー管その他棒状体の印刷・塗装装置である。
【０００９】
【作用】
第１発明では、平行な２軸間に懸架されて周回転する転写用ブランケットを設け、この転写用ブランケットの平面部へグラビア版胴が接触して塗装イメージを転移され、転写用ブランケットからは直管又はテーパー管に塗装イメージが転写される。
【００１０】
周回転する転写用ブランケットの折返し稜線部ではブランケットが引き伸ばされるようにして周速を早めて、平面部のイメージを円周の長さに展開する形状として接触回転する直管等に転写するようになっている。
【００１１】
印刷・塗装対象である直管又はテーパー管等は何れも前記転写用ブランケットが折返す稜線部に沿って回転可能に支持されている。したがって、直管用とテーパー管用の転写用ブランケットを交換することにより、これらを駆動する回転機構部、伝達機構部やスライド機構部等及びグラビア版胴は交換する必要なく共通して利用できるので、装置としては１台で兼用できることになった。
【００１２】
第２発明では、第１発明の方法を実現する装置であって、ヘッド上で軸支された平行な２軸間に懸架されて周回転すると共に着脱自在である転写用ブランケットと、前記転写用ブランケットとは別個にヘッド上に設置され、前記転写用ブランケットの平面部に接触するグラビア版胴とこのグラビア版胴と接触して余分なインクを掻き取るスクレーパーとインク供給部とを備えたスライド台とを設け、前記ブランケットの折返し稜線部に沿って直管又はテーパー管その他のワークを回転可能に軸支したワーク取付部と、前記転写用ブランケット、グラビア版胴、スクレーパー等の回転機構及び伝達機構と、前記スライド台を回転可能に軸支した軸部とスライド台を摺動させ位置調整するスライド機構等からなる装置とした。
【００１３】
ワークが直管であるか、テーパー管であるかにより、転写用ブランケットを取り替えるだけで、グラビア版胴及びこのグラビア版胴の回転機構、伝達機構やスライド機構等は共通の機構でよく、直管用とテーパー管用とに兼用の装置として利用できるようになった。
【００１４】
第３発明では、第２発明と同様に転写用ブランケット、グラビア版胴、ワーク取付部を設置し、グラビア版胴と接触して余分なインクを掻き取るインクスクレーパーとインク供給部とを備えたスライド台を回転摺動可能に設けた。
これによってグラビア版胴は直管の場合とテーパー管の場合に応じてそれぞれ転写用ブランケットの平面部に接触するよう回転移動されるようにした。従ってスライド台を調節するだけで良いので操作が簡単で確実となった。
【００１５】
第４発明では、平行な２軸間に懸架され周回転すると共に着脱自在とした転写用ブランケット及びグラビア版胴とスクレーパーとインク供給部とを備えたスライド台とをヘッド上に設置したので、ヘッドを上下動することにより、転写用ブランケットとワークとの位置調整が容易にできるようになった。
【００１６】
【発明の実施の形態】
本発明ではテーパー管のように表面積が長さ方向において異なる管体や棒についても、直管用に製作した装置をそのまま利用し転写用ブランケットだけを取り替えればよくその他を兼用できるようにした。従って、転写用ブランケット、グラビア版胴、スクレーパー、等の軸部、回転機構、減速機構等の伝達機構、スライド機構等は全て共用できるので、従来のように直管専用の装置を製作する必要がなくなった。
【００１７】
以下実施例として示した図面を参考に構成を説明する。
【００１８】
【実施例】
図１はテーパー管を印刷・塗装する場合の説明図であり、１はテーパー管、２は転写用ブランケットである。転写用ブランケット２は、上下方向で平行な２軸３、４間に懸架されて周回転するようになっている。５はグラビア版胴で、転写用ブランケット２の平面部と接触して文字、図形、パターンその他のイメージを転移する。
【００１９】
転写用ブランケット２とグラビア版胴５はギアーその他の回転機構、伝達機構で連結され、同時に回転するようになっている。
【００２０】
６はスクレーパー、７はインク供給部で、グラビア版胴５とスクレーパー６及びインク供給部７は一体としてスライド台８に設置されている。スライド台８は摺動可能であり、軸部９により回転可能になっている。１０はハンドルで、スライド台８の位置を調節するもので、グラビア版胴５を転写用ブランケットの平面部に接触するように調節する。
【００２１】
１１はヘッドで、前記転写用ブランケット２、グラビア版胴５とスクレーパー６及びインク供給部７を設けたスライド台８等を一体として上下動できるように設定されている。１２はリフト機構で、１３はハンドルを示す。
【００２２】
印刷・塗装対象（ワーク）である直管又はテーパー管１は図１、図２に示すように、転写用ブランケット２の折返し稜線部に沿って設置され、回転可能に支持され転写用ブランケットに接触して印刷イメージを転写される。ワークの設置には、両端にシャフトを設け、チエーンその他の伝導機構により回転できるようにしておけば良い。折返し稜線部はグラビア版胴からのイメージをワークの円周に応じて展開した形状となっている。
【００２３】
図３はテーパー管用の転写用ブランケット２にグラビア版胴５が接触した状態を示す平面図であり、図４は直管用の転写用ブランケット１４にグラビア版胴５が接触した状態を示す。スライド台８が軸部９を中心に回動し、グラビア版胴５が転写用ブランケット２又は１４に接触するようヘッド上でスライド台が摺動して調節される。
図５は直管１５に印刷または塗装する場合を示す要部断面説明図であり、図６は同側面図である。
【００２４】
【発明の効果】
１台の装置により、転写用ブランケットを交換するだけで、直管又はテーパー管又は棒状体のいずれにも適用して印刷又は塗装ができるようになった。同一図形イメージであればグラビア版胴を取り替える必要がなく、スライド台の回転及びヘッド上での摺動により容易に調節することができ、また回転機構や伝達機構及びスライド機構等を共用できる装置を提供できた。
【図面の簡単な説明】
【図１】テーパー管用にした本発明装置の要部を断面した説明図。
【図２】同装置の側面説明図。
【図３】テーパー管用としたスライド台の移動を示す説明図。
【図４】直管用としたスライド台の移動を示す説明図。
【図５】直管用にした本発明装置の要部を断面した説明図。
【図６】同装置の側面説明図。
【符号の説明】
１：  テーパー管
２：  テーパー管用転写用ブランケット
３、４：  ２軸
５：  グラビア版胴
６：  スクレーパー
７：  インク供給部
８：  スライド台
９：  軸部
１１：  ヘッド
１２：  リフト機構
１４：  直管用転写用ブランケット
【図１】
0003611326.tif 000002
【図２】
0003611326.tif 000003
【図３】
0003611326.tif 000004
【図４】
0003611326.tif 000005
【図５】
0003611326.tif 000006
【図６】
0003611326.tif 000007